(57)【要約】【課題】テレビチューナからのステータス情報をＬＡＮを介して接続したコントロールユニットのタッチパネル付き表示装置に表示する情報表示装置において、コントロールユニットでステータス情報を最低送信間隔や連続で受信中でも、タッチパネル操作によるキー入力処理を遅延なく行えるようにして、ユーザがキー入力できないことによる故障と誤解するのを防止する。【解決手段】コントロールユニット１は、車載ＬＡＮ８経由でテレビチューナ７からステータス情報を受信すると、ＭＰＵ２は、タッチパネル付き液晶ディスプレー４にそのステータス情報を表示するとともに、テーブル３を参照して予め定めたステータス情報更新時間内では、テレビチューナ７からステータス情報を受信しても、ステータス情報の表示を行わないように規制する。【選択図】  図１
2004194038.tif 000002
【特許請求の範囲】
【請求項１】
タッチパネル付き表示装置を有するコントロールユニットと少なくともテレビチューナとを接続し、前記コントロールユニットが前記テレビチューナからステータス情報を受信して前記表示装置に表示するとともに、予め定めたステータス情報更新時間内では、前記テレビチューナからステータス情報を受信しても、前記ステータス情報の表示を規制することを特徴とする情報表示方法。
【請求項２】
前記ステータス情報の表示の規制を、前記ステータス情報と前記ステータス情報更新時間とを設定したテーブルを用いて行うことを特徴とする請求項１記載の情報表示方法。
【請求項３】
少なくともテレビチューナからのステータス情報をコントロールユニットのタッチパネル付き表示装置に表示する情報表示装置において、前記コントロールユニットは、前記テレビチューナからステータス情報を受信する通信制御手段と、前記テレビチューナから映像音声信号を入力する映像音声入力処理手段と、前記ステータス情報の項目およびステータス情報更新時間の項目を設定したテーブルを有する制御手段とを備え、前記制御手段は、前記テレビチューナからステータス情報を受信した時は前記ステータス情報を前記表示装置に表示するとともに、予め定めた前記ステータス情報更新時間内では、前記テレビチューナからステータス情報を受信しても、前記ステータス情報の表示を規制することを特徴とする情報表示装置。
【発明の詳細な説明】
【０００１】
【発明の属する技術分野】
本発明は、コントロールユニットが、オーディオ・ビジュアルソースからステータス情報を受信して表示する情報表示方法およびその装置に関する。
【０００２】
【従来の技術】
近年、複数のオーディオソースあるいは映像ソースと、ユーザインターフェースである操作部と、集中管理ユニットとを通信ラインで接続したオーディオ・ビジュアルシステムにおいて、ソースの切り換えやシステム全体のパワーオン・オフ等の１箇所で集中管理が必要なものだけをシステム管理ユニットで管理し、各ソースが独自に有する機能については、直接コマンダからソースにコマンドを発行して制御することにより、システム管理ユニットの負荷を少なくしたオーディオ・ビジュアルシステムが提案されている（例えば、特許文献１参照）。
【０００３】
このようなオーディオ・ビジュアルシステムを車載テレビ装置に適用すると、テレビチューナと液晶表示装置を有するコントロールユニットとは一体型ではなく、テレビチューナからの音声や映像の信号は、同軸ケーブルなどでコントロールユニットに伝送し、制御信号は、テレビチューナと車載ＬＡＮにより接続されたコントロールユニット間でコマンドの送受信を行うことで実現することになる。この方法は、コマンダでキー操作、リモコン操作に応じたデータ（ソース起動要求やソース独自の機能の実行／停止を指示するデータ）を作成してバス（通信ライン）に送り出すので、コマンダ・アンド・ソース方式と呼ばれている。
【０００４】
このような車載テレビ装置では、テレビチューナの制御は、コントロールユニットの表示画面上のタッチパネル操作に対応したコマンドをテレビチューナに送信することで行い、コントロールユニットは、テレビチューナからのステータス情報、例えば受信チヤネル情報、ステレオ／モノラル情報、主／副音声情報、プリセットチヤネル情報等を受信し、液晶表示装置にテレビ映像表示とテレビチューナの状態表示とを行うことになる。コントロールユニットが受信するステータス情報は、テレビチューナの状態を知るための重要な情報であり、他の処理を行うことで、ステータス情報の受信およびステータス情報に対して行うステータス情報表示処理が遅延することは避けなければならない。このため、ステータス情報の受信およびステータス情報表示処理は、タッチパネル表示処理およびキー入力処理よりも通常は処理優先順位を高く設定している。また、車載ＬＡＮに接続されたテレビチューナは、受信状態を含む状態に何らかの変化があれば、ステータス情報を送信し、コントロールユニットは、車載ＬＡＮに接続されたテレビチューナの状態を忠実にタッチパネルのステータス情報表示エリアに表示するために、テレビチューナから受信したステータス情報の全てに対して、タッチパネルのステータス情報表示エリアの描画処理を行うよう構成される。
【０００５】
【特許文献１】
特開平７−１９２４４２号公報（第１頁）
【０００６】
【発明が解決しようとする課題】
しかしながら、上記従来技術で示されるコマンダ・アンド・ソース方式に示されるような車載テレビ装置においては、いかなる仕様のテレビチューナが車載ＬＡＮに接続されるか不明であり、テレビチューナの状態変化があった場合のステータス情報送信動作に関して、テレビチューナがステータス情報を送信してから次のステータス情報を送信するまでに一定の送信間隔（最低送信間隔）を空けてステータス情報をコントロールユニットに送信する仕様であったり、送信間隔を開けずに連続で無手順にステータス情報をコントロールユニットに送信する仕様（連続送信）であったりする。このような送信間隔の相違が発生するのは、例えば、テレビチューナのステレオとモノラルの受信状態が弱電界のために頻繁に変化し、ステレオまたはモノラルの状態を含むステータス情報が車載ＬＡＮを経由してコントロールユニットに送信される場合である。そして、ステレオとモノラルの頻繁な状態変化が発生するような状況下で、車載ＬＡＮに接続されたテレビチューナのステータス情報の最低送信間隔がステータス情報表示エリアを描画する処理時間に比べ極端に短い場合、またはステータス情報送信間隔が連続送信であった場合、ステータス情報を受信したコントロールユニットでは、ステータス情報受信処理およびテレビチューナの状態をタッチパネルのステータス情報表示エリアに描画する処理の処理優先順位が高いので、処理優先順位の低いタッチパネル入力処理が待たされ、キー入力処理を行うことができなくなり、タッチパネルを操作するユーザからするとテレビ操作ができない状態になり、装置が故障したと誤解するといった課題があった。
【０００７】
本発明は、こうした従来の問題を解決するものであり、コントロールユニットでステータス情報を最低送信間隔や連続で受信中でも、タッチパネル操作によるキー入力処理を遅延することなく行うことのできる情報表示方法および情報表示装置を提供することを目的とする。
【０００８】
【課題を解決するための手段】
本発明の情報表示方法は、タッチパネル付き表示装置を有するコントロールユニットと少なくともテレビチューナとを接続し、前記コントロールユニットが前記テレビチューナからステータス情報を受信して前記表示装置に表示するとともに、予め定めたステータス情報更新時間内では、前記テレビチューナからステータス情報を受信しても、前記ステータス情報の表示を規制することを特徴とする。この方法により、コントロールユニットでステータス情報を最低送信間隔や連続で受信中でも、タッチパネル操作によるキー入力処理を遅延することなく行うことができ、ユーザがキー入力できないことによる装置の故障と誤解することがない。
【０００９】
また、本発明の情報表示方法は、前記ステータス情報の表示の規制を、前記ステータス情報と前記ステータス情報更新時間とを設定したテーブルを用いて行うことを特徴とする。この方法により、ステータス情報の表示の規制を容易に行うことができる。
【００１０】
また、本発明の情報表示装置は、少なくともテレビチューナからのステータス情報をコントロールユニットのタッチパネル付き表示装置に表示する情報表示装置において、前記コントロールユニットは、前記テレビチューナからステータス情報を受信する通信制御手段と、前記テレビチューナから映像音声信号を入力する映像音声入力処理手段と、前記ステータス情報の項目およびステータス情報更新時間の項目を設定したテーブルを有する制御手段とを備え、前記制御手段は、前記テレビチューナからステータス情報を受信した時は前記ステータス情報を前記表示装置に表示するとともに、予め定めた前記ステータス情報更新時間内では、前記テレビチューナからステータス情報を受信しても、前記ステータス情報の表示を規制することを特徴とする。この構成により、コントロールユニットでステータス情報を最低送信間隔や連続で受信中でも、タッチパネル操作によるキー入力処理を遅延することなく行うことができ、ユーザがキー入力できないことによる装置の故障と誤解することがない。
【００１１】
【発明の実施の形態】
以下、本発明の実施の形態について図面を参照しながら説明する。図１は本発明の情報表示装置の実施の形態である車載テレビ装置の要部を示すブロック図、図２はテレビチューナのステータス情報受信時にタッチパネル操作画面を描画する際のフローチャート、図３はステータス情報表示更新間隔テーブルの例を示している。
【００１２】
図１において、本実施の形態における車載テレビ装置は、テレビ映像画面上にステータス情報表示エリアを持つタッチパネル操作画面を表示できるコントロールユニット１とテレビチューナ７と車載ＬＡＮ８とから構成される。コントロールユニット１は、テレビチューナ７から映像音声ライン９を通じて直接音声映像信号を受け入れる映像音声入力処理部６と、車載ＬＡＮ８に対するデータの送受信の制御を行うＬＡＮ通信制御部５と、テレビ映像画面とタッチパネル操作画面を表示するタッチパネル付き液晶ディスプレー４と、コントロールユニット１を統括制御する制御手段であるＭＰＵ（マイクロ・プロセッサ・ユニット）２を備える。ＭＰＵ２は、ＲＯＭ、ＲＡＭ、ＣＰＵおよびタッチパネル操作画面を表示する際に表示間隔を指定するステータス情報と、このステータス情報のステータスの変化によるステータス情報受信時の最小のステータス更新時間とを記憶したステータス情報表示更新間隔テーブル３、およびステータス情報の受信時からカウントを開始するステータス監視タイマとを備えている。なお、このＭＰＵ２は、車両に搭載されたＥＰＵ（エレクトロニク・プロセッサ・ユニット）を利用してもよい。
【００１３】
次に、テレビチューナ７とコントロールユニット１の動作について説明する。テレビチューナ７およびコントロールユニット１が動作可能な状態になると、テレビチューナ７は、内部メモリに保存していたチャネルで受信し、映像音声ライン９を通して映像と音声をコントロールユニット１の映像音声入力処理部６に伝え、ＭＰＵ２の判断でテレビ映像をタッチパネル付き液晶ディスプレー４に表示する。テレビチューナ７は、映像と音声を出力するのと同時に車載ＬＡＮ８経由でコントロールユニット１に対して自身のステータス情報を送信する。ステータス情報には、テレビチューナ７の状態を表す全ての情報が含まれている。車載ＬＡＮ８を通じてステータス情報をＬＡＮ通信制御部５で受信したコントロールユニット１は、ＭＰＵ２でステータス情報判定処理を行い、タッチパネルのステータス情報表示エリアの再描画が必要と判定したならば、テレビのチャネル等を操作するために必要なステータス情報の全てを描画し、タッチパネルのステータス情報表示エリアにテレビチューナの状態を表示する。つまり、タッチパネル付き液晶ディスプレー４には、テレビ映像の上にテレビチューナ７の状態、例えば受信チヤネル情報、ステレオ／モノラル情報、主／副音声情報、プリセットチヤネル情報等が表示される。この状態からタッチパネルのチャネルを操作するボタンを押下することで、その押下されたボタンの位置座標をＭＰＵ２が判定し、ボタンに対応したコマンドを作成して、ＬＡＮ通信制御部５から車載ＬＡＮ８を通じてテレビチューナ７にチャネル操作内容を通知する。
【００１４】
テレビチューナ７に通知されたチヤネル操作内容に従ってテレビチューナ７が動作し、テレビチューナ７の状態が変化した場合は、テレビチューナ７は、自身のステータス情報をコントロールユニット１に送信する。コントロールユニット１は、ステータス情報を受信したならば、タッチパネルのステータス情報表示エリアにテレビチューナの状態を表示する処理を行う。もし、テレビチューナ７の状態に変化が生じなければ、テレビチューナ７は定期的に、例えば５秒間隔で自身のステータス情報をコントロールユニット１に送信する。
【００１５】
テレビチューナ７の状態を変化させるのはコントロールユニット１からのコマンドだけではない。受信中の電波状態によってもテレビチューナ７のステータス情報が変化する。それは、例えばステレオ／モノラルのステータス情報であり、テレビチューナ７は、受信した周波数の内容からステレオ／モノラルの状態を抽出する。したがって、ステレオ放送を受信中であっても電界強度が弱くなれば、テレビチューナ７はモノラル放送と判定してしまう。ステレオ放送受信中にステレオ放送と判定可能な限界の電界強度付近で電界が変動した場合、テレビチューナ７は、自身の検出間隔でステレオかモノラルかを判定し、ステレオ／モノラルの変化検出毎に、最低送信間隔でステータス情報をコントロールユニット１に、例えば１０ｍｓ間隔で送信する。
【００１６】
次に、コントロールユニット１のＭＰＵ２でのステータス情報判定処理について図２を参照して説明する。ステータス情報の受信を検出すると（ステップＳ１１）、受信したステータス情報と前回受信したステータス情報の内容とを比較し（ステップＳ１２）、変化がなければ今回のステータス情報は、テレビチューナ７が定期的にステータス情報を送信する動作（定期ステータス情報通知）と判断し、今回受信のステータス情報をタッチパネルのステータス情報表示エリアに再描画する（ステップＳ１７）。ステップＳ１２で、ステータス情報の内容の変化を検出した場合は、変化したステータス情報がステータス情報表示更新間隔テーブル３に登録されているかを判定し（ステップＳ１３）、変化したステータス情報がステータス情報表示更新間隔テーブル３に登録されていなければ、登録外のステータス情報が変化したと判断し、今回受信のステータス情報をタッチパネルのステータス情報表示エリアに再描画する（ステップＳ１７）。ステップＳ１３で、変化したステータス情報がステータス情報表示更新間隔テーブル３に登録されている情報であれば、ＭＰＵ２内のステータス監視タイマが計測して図３に示すステータス情報表示更新間隔テーブル３に書き込んだステータス監視タイマカウント領域値３３を読み出し（ステップＳ１４）、ステータス監視タイマカウント領域値３３とステータス情報表示更新間隔値３２との比較を行う（ステップＳ１５）。ステータス監視タイマカウント領域値３３のほうが大きければ、設定したステータス情報表示更新間隔値３２の時間が経過したと判断して、次のステータス情報表示更新間隔判定のためにステータス監視タイマカウント領域値３３をゼロにクリアし（ステップＳ１６）、今回受信のステータス情報をタッチパネルのステータス情報表示エリアに再描画する（ステップＳ１７）。ステータス情報表牢更新間隔値３２のほうが大きければ、前回の描画から設定したステータス情報表示更新間隔値３２の時間が経過していないと判断して、描画処理は行わずにステップＳ１１のステータス情報受信待ち処理へ戻る。また、ステップＳ１７の実行後もステータス情報受信待ちへ戻る。
【００１７】
図３に示すステータス情報表示更新間隔テーブル３において、ステータス情報３１の項目には、表示間隔を指定したいステータス情報を、ステータス情報表示更新間隔値３２の項目には、ステータス情報項目のステータスの変化によるステータス情報受信時の最小の表示更新間隔を記述する。そして、例えば、タイマの周期が１０ｍｓで、タイマ処理内でステータス監視タイマカウント領域値３３のインクリメントを行い、ステレオ／モノラルの変化によるステータス情報受信でステータス表示の再描画を行った後、１秒以上経過しなければ、ステレオ／モノラルの変化によるステータス情報を受信しても、ステータス情報表示エリアの再描画を行わないように設定する場合は、図３に示すようにステータス情報３１にはステレオ／モノラルに対応するコードを、ステータス情報表示更新間隔値３２には６４ｈを設定すればよい。また、ステータス監視タイマカウント領域値３３には、プログラムの起動後の初期化処理で使用領域の最大値、例えばワード領域（２バイト）ならＦＦＦＦｈの値を設定し、タイマ処理では、ステータス監視タイマカウント領域値３３が使用領域の最大値でなければ、カウントアップする処理を行う。
【００１８】
このように、本実施の形態によれば、コントロールユニット１でステータス情報表示更新間隔テーブル３とステータス監視タイマとを使用し、ステータス監視タイマカウント領域値３３以内では、テレビチューナの特定ステータスの変化によるステータス情報を受信しても、タッチパネル操作画面のステータス情報表示エリアの表示を更新しないように規制することで、コントロールユニット１がステータス情報を最低送信間隔や連続で受信した場合でも、タッチパネル操作によるキー入力処理を遅延することなく行うことができる。
【００１９】
なお、本実施の形態では、テレビチューナが高頻度で検出するステータスをステレオ／モノラルのステータスとしたが、その他の高頻度で検出したことでステータス情報を最低送信間隔や連続で送信するステータスに対しても、ステータス情報表示更新間隔テーブルに項目を追加することで同様の効果が得られる。
【００２０】
また、本実施の形態では、車載ＬＡＮ８にテレビチューナ７を接続し、コントロールユニット１がテレビチューナ７を制御する例を示したが、車載ＬＡＮ８に他のオーディオ・ビジュアルソースを接続して、それをコントロールユニット１でテレビチューナ７とともに制御できるように構成することもできる。また、本発明を車載オーディオ・ビジュアル装置以外にも適用することができる。
【００２１】
【発明の効果】
以上説明したように、本発明は、タッチパネル付き表示装置を有するコントロールユニットと少なくともテレビチューナとをそれぞれＬＡＮに接続し、コントロールユニットがＬＡＮ経由でテレビチューナからステータス情報を受信してタッチパネルに表示するとともに、予め定めたステータス情報更新時間内では、テレビチューナからステータス情報を受信しても、ステータス情報の表示を規制するようにしたので、コントロールユニットでステータス情報を最低送信間隔や連続で受信中でも、タッチパネル操作によるキー入力処理を遅延することなく行うことができ、ユーザがキー入力できないことによる装置の故障と誤解することがない。
【図面の簡単な説明】
【図１】本発明の実施の形態における車載テレビ装置の構成を示す概略ブロック図
【図２】本発明の実施の形態におけるテレビチューナのステータス情報受信時にタッチパネル操作画面を描画する際のフロー図
【図３】本発明の実施の形態におけるステータス情報表示更新間隔テーブルの例を示す一覧図
【符号の説明】
１  コントロールユニット
２  ＭＰＵ
３  ステータス情報表示更新間隔テーブル
４  タッチパネル付き液晶表示ディスプレー
５  ＬＡＮ通信制御部
６  映像音声入力処理部
７  テレビチューナ
８  車載ＬＡＮ
９  映像音声ライン
【図１】
2004194038.tif 000003
【図２】
2004194038.tif 000004
【図３】
2004194038.tif 000005